(57)【特許請求の範囲】
【請求項１】
引戸の戸本体（２）に組み付けられる錠本体（３）と、戸枠（１）に埋設状態で固定されるストライカー（４）と、戸本体（２）の外面に設けられて、錠本体（３）を解錠操作する錠操作機構とからなるラッチ錠であって、
錠本体（３）は、錠ボディ（１１）と、錠ボディ（１１）に回転のみ可能に軸支され、軸中心が戸本体（２）の開閉方向に沿ってほぼ水平に配置されるラッチ軸（２０）と、ラッチ軸（２０）の軸端にラッチ軸（２０）と同行回転するよう設けられ、戸本体（２）の閉じ端に備えられていて、戸本体（２）の厚み方向において戸本体（２）の屋内面側に突出するラッチ片（２１）と、ラッチ軸（２０）をラッチ片（２１）がストライカー（４）と係合する向きに回動付勢するばね（２３）とを含み、
ストライカー（４）には、爪受部（３４）と、爪受部（３４）に連続して傾斜面で形成した係合案内部（３５）とが設けられており、
ラッチ片（２１）は、ストライカー（４）の爪受部（３４）に受け止められる爪部（２４）と、爪部（２４）の外側面に傾斜面で形成したカム部（２５）とを備えていて、爪部（２４）が爪受部（３４）に係合して戸本体（２）を閉止保持する鎖錠姿勢と、爪部（２４）が爪受部（３４）から離脱する解錠姿勢とに、ラッチ軸（２０）を中心にして揺動変位でき、
前記ラッチ片（２１）のカム部（２５）は、ストライカー（４）の係合案内部（３５）と正対する関係にあり、
戸本体（２）を閉じ操作したとき、ラッチ片（２１）のカム部（２５）がストライカー（４）の係合案内部（３５）に接当して、ラッチ片（２１）をばね（２３）の付勢力に抗してラッチ軸（２０）ごと解錠方向へ揺動操作し、
爪部（２４）と爪受部（３４）とが係合した状態における戸本体（２）の開放を阻止する閉止力（Ｒ）の方向と、ラッチ片（２１）の揺動平面とが、互いに交差する向きに設定され、かつ、前記閉止力（Ｒ）の方向とラッチ軸（２０）の軸中心とがほぼ平行に設定されており、
ラッチ軸（２０）には、戸本体（２）の内側からラッチ片（２１）を解錠姿勢に操作するための補助レバー（４４）が固定されていることを特徴とするラッチ錠。
【請求項２】
錠操作機構が、戸本体（２）の外面に装着されるカバーケース（３７）で縦軸（３９）まわりに揺動可能に支持されるレバー（４０）と、縦軸（３９）の上端に設けた連動片（４１）と、ラッチ軸（２０）に設けた連動片（２２）とを含み、レバー（４０）を揺動動作すると、縦軸（３９）および両連動片（４１・２２）を介してラッチ軸（２０）が解錠方向へ回動して、ラッチ片（２１）を解錠姿勢に切り換えることができるようにした請求項１記載のラッチ錠。
【請求項３】
カム部（２５）が爪部（２４）の周縁に沿う３次元平面で形成してある請求項１または２記載のラッチ錠。
【発明の詳細な説明】
【０００１】
【発明の属する技術分野】
本発明は、出入口を開閉する戸本体に設けられるラッチ錠、なかでもラッチ片が揺動してストライカーと係脱する形態のラッチ錠に関する。
【０００２】
【従来の技術】
この種の揺動型のラッチ錠は、例えば実公平５−７４０８号公報に公知である。そこでは、ラッチ片が戸本体の内外方向へ水平に揺動することによって、ストライカーと係合し、あるいは係合状態を解除できるようになっている。因みに、この種のラッチ錠は引戸に適用されることが多い。
【０００３】
【発明が解決しようとする課題】
上記のように、前後揺動する形態のラッチ錠のラッチ片は、戸本体の外面に常に突出するようにばねで移動付勢してある。そのため、戸本体を開放した状態において、ラッチ片が戸本体から大きく突出するのを避けられず、出入口を通り抜ける際に、衣服の一部がラッチ片の突端の爪部に引っ掛かることがある。場合によってはラッチ片が変形して、ストライカーに対して適正に係合できなくなることもある。
【０００４】
また、この種のラッチ片は、ラッチ片とストライカーとが係合した状態における閉止保持力が、ラッチ片の揺動平面に沿う構造になっており、さらに、ラッチ片とストライカーとが係合する鎖錠状態を、ばねの付勢力で維持する構造になっている。そのため、例えば地震などによって、戸本体に開放方向の強い外力が作用すると、ラッチ片に解錠方向のモーメントが作用し、爪部がストライカーから外れて戸本体が開放されてしまう。とくに、ラッチ片の揺動中心と、爪部とストライカーとの係合部とが前後にずれている場合には、戸本体に作用する外力が左程大きくない場合にも、簡単に解錠する欠点がある。
【０００５】
本発明の目的は、ラッチ片が戸本体から大きく突出するのを解消でき、従って、出入口を通り抜ける際に、衣服の一部がラッチ片の突端の爪部に引っ掛かり、あるいはラッチ片が変形するのを解消できるラッチ錠を提供することにある。本発明の他の目的は、戸本体に開放方向の強い外力が作用するような場合にも、ラッチ錠が解錠するのを確実に防止して、地震などの災害時にも戸本体を閉じ状態に保持できるラッチ錠を提供することにある。
【０００６】
【課題を解決するための手段】
本発明のラッチ錠は、ラッチ片２１を含む錠本体３と、ストライカー４と、戸本体２の外面に設けられて、錠本体３のラッチ片２１を解錠操作する錠操作機構とからなる。錠本体３は、錠ボディ１１と、錠ボディ１１で回転可能に軸支されるラッチ軸２０と、ラッチ軸２０と同行回転するラッチ片２１と、ラッチ片２１をストライカー４と係合する向きに揺動付勢するばね２３とを含む。ラッチ片２１は、ストライカー４の爪受部３４と係合する爪部２４と、ばね２３の付勢力に抗してストライカー４で解錠方向に揺動操作されるカム部２５とを備えていて、爪部２４が爪受部３４と係合して戸本体２を閉止保持する鎖錠姿勢と、爪部２４が爪受部３４から離脱する解錠姿勢とに、ラッチ軸２０を中心にして揺動変位できる。爪部２４と爪受部３４とが係合した状態における戸本体の開放を阻止する閉止力Ｒの方向と、ラッチ片２１の揺動平面とは、互いに交差する向きに設定する。しかも、閉止力Ｒの方向とラッチ軸２０の軸中心とはほぼ平行に設定する。
【０００７】
上記のラッチ錠は、引戸と開き戸とのいずれにも適用できるが、引戸に適用する場合には、ラッチ軸２０を、その軸中心が戸本体２の開閉方向に沿ってほぼ水平になるように配置する。ラッチ片２１は、その爪部２４およびカム部２５が、戸本体２の閉じ端側の屋内面から突出する状態で配置して、戸本体２の内外方向へ往復揺動できるようラッチ軸２０で支持する。ストライカー４には、ばね２３に抗してカム部２５を解錠方向へ揺動操作する係合案内面３５を形成する。
【０００８】
錠操作機構が、戸本体２の外面に装着されるカバーケース３７で縦軸３９まわりに揺動可能に支持されるレバー４０と、レバー４０の揺動動作をラッチ軸２０に伝える一対の連動片２２・４１とで構成する。
【０００９】
カム部２５は爪部２４の周縁に沿う３次元平面で形成する。
【００１０】
【発明の作用効果】
本発明のラッチ錠では、ラッチ片２１がラッチ軸２０のまわりに往復揺動してストライカー４と係脱するが、この時のラッチ片２１の爪部２４とストライカー４の爪受部３４とが係合した状態における閉止力Ｒの方向、つまり戸本体２の開放を阻止する力の方向と、ラッチ片２１の揺動平面とを互いに交差する向きに設定したうえで、先の閉止力Ｒの方向とラッチ軸２０の軸中心とをほぼ平行に設定するので、従来のラッチ錠に比べて、戸本体２から突出するラッチ片２１の突出量を小さくできる。例えば、図１に示すように、引戸の側端に錠本体３を設け、ストライカー４を戸枠１に設ける場合には、ラッチ片２１は、ストライカー４の爪受部３４の係合面に沿って内外揺動できればよく、従来のラッチ片のように、ストライカーとの係合部よりもラッチ先端側にカム部を大きく突設する必要がないので、その分だけラッチ片２１の戸本体２からの突出寸法を小さくできる。従って、本発明のラッチ錠によれば、ラッチ片２１が戸本体２から大きく突出するのを解消して、出入口を通り抜ける際に、衣服の一部がラッチ片２１の爪部２４に引っ掛かることをよく防止できる。
【００１１】
ラッチ片２１とストライカー４とが係合した鎖錠状態においては、戸本体２に加わる開放方向の外力は爪受部３４で受け止められるが、先の外力によってラッチ片２１に解錠方向の揺動モーメントが作用することはない。従って、戸本体２に開放方向の強い外力が作用するような場合にも、ラッチ錠が解錠操作されるのを確実に防止でき、これにより、地震などの災害時に戸本体２が開放操作されるのを確実に阻止し、閉じ状態に保持することができる。
【００１２】
ラッチ錠を引戸に適用する場合には、ラッチ片２１が戸本体２の内外方向へ往復揺動できるよう、ラッチ軸２０をその軸中心が戸本体２の開閉方向に沿ってほぼ水平になるように配置する。このように、内外方向へ揺動するラッチ片２１をストライカー４と係合させて、戸本体２を閉じ状態に保持すると、ラッチ片２１の突出量をさらに小さくできるうえ、ラッチ片２１を出入口から離れた戸本体２の屋内面側に突出させることができるので、衣服などの引っ掛かりをよく防止できる。
【００１３】
戸本体２の外面に装着されるカバーケース３７で支持されるレバー４０と、レバー４０の揺動動作をラッチ軸２０に伝える一対の連動片２２・４１とで構成した錠操作機構は、ラッチ錠を内側の錠ユニットと、外側の錠ユニットとに分けて構成できるので、戸本体２に対するラッチ錠の組み付けを簡便に行える。しかも、解錠操作したレバー４０を握ったままで戸本体２を開放操作できる。
【００１４】
ストライカー４とラッチ片２１とは、分離した状態では互いに正対する関係にあり、両者が係合するためには、ストライカー４はラッチ片２１を正対する方向から直交する向きに揺動操作する必要があって、ラッチ片２１を円滑に揺動操作することが難しい。このような、ラッチ片２１の揺動操作を円滑に行うために、カム部２５を爪部２４の周縁に沿う３次元平面で形成して、ラッチ片２１の解錠操作を確実なものとしている。
【００１５】
【実施例】
図１ないし図９は本発明に係るラッチ錠を、物置の引戸に適用した実施例を示す。図２において、符号１は戸枠、２は戸枠の開口面に沿って引き違い開閉される戸本体である。戸本体２と戸枠１との閉じ端には、戸本体２を閉じ状態に保持する錠ユニットを設ける。錠ユニットは、戸本体２に組み付けられる錠本体３と、戸枠１に埋設する状態で固定されるラッチ錠用のストライカー４とで構成する。このストライカー４は、鎌錠用のストライカーを兼ねている。
【００１６】
図３および図４において、錠本体３は、戸本体２の内面側に組まれる内側ユニット３Ａと、戸本体２の外面側に組まれる外側ユニット３Ｂとからなり、内側ユニット３Ａに、仮り錠として用いられる本発明のラッチ錠と、鍵６で鎖錠および解錠操作される鎌錠とが組み込んである。外側ユニット３Ｂには、ラッチ錠を解錠操作する錠操作機構が設けてある。
【００１７】
図４において、内側ユニット３Ａは、逆Ｌ字形のケース１０と、ケース１０の内面上部に固定した錠ボディ１１を有し、ケース１０と錠ボディ１１との間に鎌錠とラッチ錠とが組み付けてある。鎌錠７は、錠ボディ１１に固定されるシリンダー錠１２と、シリンダー錠１２の錠軸の端部に固定される操作カム１３と、操作カム１３で上下操作されるスライド板１４と、スライド板１４で左右方向へ出退揺動操作される鎌形の錠腕１５、および錠腕１５を解錠姿勢と鎖錠姿勢の各切換姿勢において位置保持するキックばね１６などで構成する。図４に想像線で示すように、錠腕１５の先端がストライカー４の内奥裏面壁と係合することにより、戸本体２を開放不能に鎖錠できる。
【００１８】
図５において、錠ボディ１１は左右に長い逆Ω字状のダイキャスト成形品からなり、その左右中央に先のシリンダー錠１２を収容するボス１８を有し、ボス１８の左右に突出する板面の上隅のそれぞれに、一対のブラケット１９が突設してある。このブラケット１９で、ラッチ錠のラッチ軸２０を回転のみ可能に軸支する。ラッチ軸２０はダイキャスト成形品からなり、ラッチ片２１と連動片２２が一体に成形してある。詳しくは、ラッチ軸２０の片方の軸端にラッチ片２１を一体に形成し、他方の軸端寄りに逆Ｌ字状の連動片２２を一体に形成している。連動片２２と錠ボディ１１との間には、ラッチ軸２０を図５に矢印ａで示すように時計回転方向（鎖錠方向）へ回動付勢する、捻りコイル形のばね２３が装着してある。ラッチ片２１は、ブラケット１９の突端外面に突出する、側面視が銀杏葉形の爪部２４を有し、その湾曲周縁に沿って傾斜面からなるカム部２５が形成してある。
【００１９】
錠ボディ１１はケース１０にビスで締結されて、内側ユニット３Ａとしてユニット化されており、図６に示すように、内側ユニット３Ａを戸本体２の側端内面に装着した状態において、ラッチ片２１の大半が取付壁の開口２６を介して屋内側へ突出するように取り付ける。この取付状態において、ラッチ軸２０の軸中心は、戸本体２の開閉方向に沿って左右水平に配置されている。また、戸本体２を開放した状態において、ラッチ片２１のカム部２５の上端は、ラッチ軸２０の中心を通る水平面の付近に位置している。
【００２０】
ラッチ片２１を介して戸本体２を閉じ位置に保持固定するために、戸枠１にストライカー４を設けている。図５において、ストライカー４は、横断面がコ字形のキャッチ本体２８と、キャッチ本体２８に組まれる補強板２９とからなる。キャッチ本体２８の開口縁にはそれぞれフランジ壁３０を張り出し、屋内側のフランジ壁３０に連続する内側面に、ラッチ片２１の進入を許す開口３１を通設する。補強板２９は、基本断面がＬ字形のステンレス板材製のプレス金具からなり、キャッチ本体２８の底壁外面の側から組まれて、先の開口３１の内面周縁を覆う。開口３１に臨む補強板２９の板面を切り起こして窓部３２と舌片３３を設け、この舌片３３の折り曲げ基端を、ラッチ片２１の爪部２４を受け止め係合する爪受部３４とする。爪受部３４に連続して、フランジ壁３０の外面へ向かって傾斜する係合案内部３５が設けてある。係合案内部３５は、戸本体２を閉じ操作するときカム部２５と接当して、ラッチ片２１をばね２３の付勢力に抗して、ラッチ軸２０ごと解錠方向へ揺動操作する。先の舌片３３は、開口３１を介してキャッチ本体２８の外面へ突出する。
【００２１】
図３において、外側ユニット３Ｂは、上下に長いカバーケース３７と、カバーケース３７の前面に組み込まれた錠操作機構とからなる。錠操作機構は、カバーケース３７の前面に凹み形成したポケット３８の上下壁で軸支される縦軸（揺動軸）３９と、一側端が縦軸３９に固定された解錠用のレバー４０と、縦軸３９の上端に一体成形された連動片４１と、縦軸３９を待機姿勢に回動付勢するばね（図示していない）とからなる。先の内側ユニット３Ａと、外側ユニット３Ｂとを、戸本体２の壁を挟んで内外に配置し、両者をビスで締結することにより、錠本体３が戸本体２と一体化される。この組み付け状態において、錠操作機構の連動片４１は、図６に示すようにラッチ軸２０に設けた連動片２２と内外に隣接している。従って、図７に示すように、レバー４０をポケット３８の外面側へ向かって揺動操作すると、その動作が縦軸３９と連動片４１を介してラッチ軸２０に設けた連動片２２へ伝えられ、その結果、ラッチ軸２０が解錠方向へ回動して、ラッチ片２１を解錠姿勢に切り換えることができる。
【００２２】
上記の錠操作機構は戸本体２の外面に設けてあるので、物置内へ入った状態で戸本体２を閉じてしまうと、錠操作機構を操作することができず、閉じ込められてしまう。このような状況でも、ラッチ錠を戸本体２の内側から解錠操作できるようにするために、補助レバー４４を内側ユニット３Ａに設けている。詳しくは、図７に示すように、ケース１０の側端から突出するラッチ軸２０の端部に補助レバー４４を固定している。補助レバー４４は、待機状態において戸本体２の壁面に沿って起立しているので、ラッチ軸２０を中心にして手前側へ傾動操作すると、ラッチ片２１を解錠できる。
【００２３】
次に、ラッチ片２１とストライカー４との係脱動作を説明する。先に説明したように、ラッチ片２１は戸本体２の閉じ端の内面側に突出し、爪部２４の外側面に設けたカム部２５が、ストライカー４の係合案内部３５と正対する関係にある。従って、開放されていた戸本体２閉じ操作すると、図８（ａ）および図９（ａ）に示すように傾斜面で形成したカム部２５の下端側が、傾斜面で形成した係合案内部３５と接当する。因みに、係合案内部３５の傾斜方向が、戸本体２の開閉平面を基準にして屋内側へ傾斜する２次元平面であるのに対し、カム部２５の傾斜面は、爪部２４の周縁に沿って湾曲しながら、爪部２４の周縁へ向かって傾斜する３次元平面で形成してある。そのため、係合案内部３５にカム部２５が接当すると、ラッチ片２１に解錠方向の回転モーメントが作用し、ラッチ片２１およびラッチ軸２０は、図８（ｂ）・（ｃ）および図９（ｂ）に示すようにをばね２３の付勢力に抗して矢印方向へ揺動操作されて、解錠操作される。このときのカム部２５の接当面は、下端側からから上端側へと徐々に変化する。戸本体２を閉じ端の近傍まで閉じ操作し、ラッチ片２１の爪部２４が爪受部３４を通り抜けると、それまで解錠姿勢に保持されていたラッチ片２１およびラッチ軸２０は、図９（ｃ）に示すようにばね２３で鎖錠姿勢へ復帰揺動されるので、爪部２４と爪受部３４とが係合し戸本体２を閉止状態に保持固定できる。
【００２４】
上記のように、爪部２４と爪受部３４とが係合した状態においては、図１に示すように戸本体２の開放を阻止する閉止力Ｒの方向と、ラッチ片２１の揺動平面が互いに直交する関係にあり、しかも、先の閉止力Ｒの方向とラッチ軸２０の軸中心とが平行な関係にある。そのため、戸本体２に開放方向の外力が作用したとしても、この外力は爪部２４と爪受部３４とによって受け止められ、ラッチ片２１に対して、外力に基づく回転モーメントが作用する余地はない。つまり、爪部２４または爪受部３４が破壊しない限りは、ラッチ錠が開錠することはあり得ず、地震などの場合にも、戸本体２を確実に閉止保持して、物置内の収納物が出入口から転落し四散するのを防止できる。
【００２６】
上記以外に、カム部２５の形状や構造は、正対する方向から揺動操作できるものであればよいので、その形状や構造は実施例で説明した形状や構造には限定しない。本発明のラッチ錠は単独で構成することができるので、実施例で説明した錠ユニットのように、鎌錠などの本締り錠を一体に備えている必要はない。上記の実施例では、係合案内部３５をキャッチ本体２８の屋内側の内側面に設けたがその必要はなく、係合案内部３５をキャッチ本体２８の内面上壁に設け、爪受部３４をキャッチ本体２８の内面上壁と直交する内面後壁（または内面前壁）に設けることができる。もちろん、爪受部３４はキャッチ本体２８の内面上下壁のいずれに設けてあってもよい。ラッチ軸２０とラッチ片２１は、別の部品として形成でき、その場合のラッチ軸２０は金属製あるいはプラスチック製の棒やパイプで形成できる。
【図面の簡単な説明】
【図１】鎖錠状態のラッチ錠の横断平面図である。
【図２】物置の斜視図である。
【図３】ラッチ錠の正面図である。
【図４】錠内部の正面図である。
【図５】ラッチ錠の分解斜視図である。
【図６】解錠状態のラッチ錠の横断平面図である。
【図７】錠操作機構を解錠操作した状態の横断平面図である。
【図８】ラッチ錠の解錠動作を示す概略斜視図である。
【図９】ラッチ錠の解錠動作を示す概略側面図である。
【符号の説明】
１  戸枠
２  戸本体
３  錠本体
４  ストライカー
１１  錠ボディ
２０  ラッチ軸
２１  ラッチ片
２２  連動片
２３  ばね
２４  爪部
２５  カム部
３４  爪受部
３５  係合案内部
【図１】
0003749667.tif 000002
【図２】
0003749667.tif 000003
【図３】
0003749667.tif 000004
【図４】
0003749667.tif 000005
【図５】
0003749667.tif 000006
【図６】
0003749667.tif 000007
【図７】
0003749667.tif 000008
【図８】
0003749667.tif 000009
【図９】
0003749667.tif 000010